(57)【要約】【課題】  特に目蓋に睫パーマ用ロットを貼り付けることにより、睫に対して異なる曲率を付けることができる、睫パーマ用ロット、を提供する。【解決手段】  本考案の睫パーマ用ロットは、底面に平坦面が設けられると共に、表面に前側から後側に向って順に第一弧面（１３）、カット面（１４）及び第二弧面（１５）が設けられるロット（１０）を有する睫パーマ用ロット（１）であり、該第一弧面（１３）は前方に向って底面（１１）まで湾曲し、更にロット（１０）の長手方向の中間における中間部（１０１）は他の部分より肉厚であると共に、その上面は両側に形成される肩部（１０２）に行くにつれて肉薄となることを特徴とする。【選択図】  図１
0003108940.tif 000002
【実用新案登録請求の範囲】
【請求項１】
底面に平坦面が設けられると共に、表面に前側から後側に向って順に第一弧面、カット面及び第二弧面が設けられるロットを有する睫パーマ用ロットであり、
該第一弧面は前方に向って底面まで湾曲し、更に前記ロットの長手方向の中間における中間部は他の部分より肉厚であると共に、その上面は両側に形成される肩部に行くにつれて肉薄となることを特徴とする睫パーマ用ロット。
【請求項２】
ロットは、湾曲可能なスポンジ、軟質プラスチック或いは硬紙から成り、その表面に粘着剤が塗布され、また、睫パーマ用ロットにおける第一弧面の面積は、第二弧面より大きいと共に、第一弧面の曲率は、第二弧面と異なることを特徴とする請求項１に記載の睫パーマ用ロット。
【請求項３】
第二弧面の曲率は、第一弧面より大きく、更に、ロットの表面に長手方向に対して垂直方向に並列するように凸部が設けられ、前記ロットの第一弧面と底面との間に平面部が設けられると共に、前記ロットの第二弧面と底面との間に平面部が設けられ、前記ロットの両側における肩部は肉厚が異なることを特徴とする請求項２に記載の睫パーマ用ロット。
【考案の詳細な説明】
【技術分野】
【０００１】
本考案は、特に目蓋に睫パーマ用ロットを貼り付けることにより、睫に対して異なる曲率を付けることができる、睫パーマ用ロット（ロットのことをブラシ台ともいう。）に関するものである。
【背景技術】
【０００２】
睫パーマ用ロットとは、睫に対して異なる曲率を付けてパーマを施すものであり、一般に断面半円形の棒状を成し、その表面にはロットを目蓋に貼り付けるための粘着剤が塗布され、更にパーマ用液を用いることにより、上向いた美しい睫を提供することができる。
【考案の開示】
【考案が解決しようとする課題】
【０００３】
しかし、前記従来の睫パーマ用ロットは、単に綿素材から成る、円径の等しい棒状のものであったため、睫にパーマを施す時、人によって形状の異なる目蓋にロットをぴったりと合せるのは困難であり、殆どの場合、その両側に間隙ができてしまうと問題があった。更に、睫の長さは通常、中間部分が長く、そこから両側に行くにつれて徐々に短くなっているので、睫を上方に整えた時、中間部分の睫しか睫パーマ用ロットに接着することができなく、両側の睫は単にその先端部分しか付けることができないので、睫全体にパーマを施すことができない。
【０００４】
そこで、案出されたのが本考案であって、本考案は、使用者の目蓋の形状、睫の長さが異なる場合でも、確実に睫全体にパーマを掛けることができる睫パーマ用ロットを提供することを目的としている。
【課題を解決するための手段】
【０００５】
この目的を達成するために実用新案登録請求の範囲に記載の考案のうち、請求項１記載の考案について符号を付して説明すると、請求項１記載の考案は、底面に平坦面が設けられると共に、表面に前側から後側に向って順に第一弧面（１３）、カット面（１４）及び第二弧面（１５）が設けられるロット（１０）を有する睫パーマ用ロット（１）であり、該第一弧面（１３）は前方に向って底面（１１）まで湾曲し、更にロット（１０）の長手方向の中間における中間部（１０１）は他の部分より肉厚であると共に、その上面は両側に形成される肩部（１０２）に行くにつれて肉薄となることを特徴としている。
【０００６】
請求項２記載の考案は、請求項１に記載の睫パーマ用ロットにおいて、前記ロット（１０）は、湾曲可能なスポンジ、軟質プラスチック或いは硬紙から成り、その表面に粘着剤が塗布され、また、睫パーマ用ロット（１）における第一弧面（１３）の面積は、第二弧面（１５）より大きいと共に、第一弧面（１３）の曲率は、第二弧面（１５）と異なることを特徴としている。
【０００７】
請求項３記載の考案は、請求項２に記載の睫パーマ用ロットにおいて、前記第二弧面（１５）の曲率は、第一弧面（１３）より大きく、更に、ロット（１０）の表面に長手方向に対して垂直方向に並列するように凸部（１３１）が設けられ、ロット（１０）の第一弧面（１３）と底面（１１）との間に平面部（１２）が設けられると共に、ロット（１０）の第二弧面（１５）と底面（１１）との間に平面部（１６）が設けられ、ロット（１０）の両側における肩部（１０２）は肉厚が異なることを特徴としている。
【考案の効果】
【０００８】
本考案は、上記従来の課題を解決するものであり、底面に平坦面が設けられると共に、表面に前側から後側に向って順に第一弧面、カット面及び第二弧面が設けられるロットを有する睫パーマ用ロットであり、該第一弧面が前方に向って底面まで湾曲し、更にロットの長手方向の中間における中間部が他の部分より肉厚であると共に、その上面が両側に形成される肩部に行くにつれて肉薄となる構成とすることにより、ロットにおける平坦状の底面を目蓋に貼り付けた後、両側の睫をしっかりと肩部に貼り付けられるので、睫全体に対して完全にパーマを掛けることができる。更に、使用者の好みによって、異なる曲率の第一弧面及び第二弧面の何れか一方を選んで使用することにより、睫に対して異なる曲率のパーマを掛けることができる。故に、本考案の睫パーマ用ロットは、使用者の目蓋の形状、睫の長さが異なる場合でも、確実に睫全体にパーマを掛けることができる。
【考案を実施するための最良の形態】
【０００９】
以下、添付図面を参照して本考案の好適な実施の形態の例（実施例）を詳細に説明する。勿論、本考案の技術的範囲は、上記実施例そのものに何ら限定されるものではない。
【実施例】
【００１０】
図１は本考案に係る睫パーマ用ロットの斜視図であり、図２は本考案に係る睫パーマ用ロットの正面図であり、図３は本考案に係る睫パーマ用ロットの側面図であり、図４は本考案に係る睫パーマ用ロットの第一実施例であり、図５は本考案に係る睫パーマ用ロットの第二実施例である。
【００１１】
図１及び図３に示すように、本考案の睫パーマ用ロット（１）は、スポンジ或いは軟質プラスチックから成る、湾曲可能な棒状のロット（１０）を有し、該ロット（１０）の底面に平坦面が設けられると共に、表面に前側から後側に向って順に第一弧面（１３）、カット面（１４）及び第二弧面（１５）が設けられ、該第一弧面（１３）は前方に向って底面（１１）まで湾曲し、更に、第一弧面（１３）と底面（１１）との間に平面部（１２）が設けられると共に、第二弧面（１５）と底面（１１）との間に平面部（１６）が設けられ、該第二弧面（１５）は後方から底面に向って湾曲するように形成されている。
【００１２】
図１及び図２に示すように、前記ロット（１０）の長手方向の中間における中間部（１０１）は他の部分より肉厚であり、その上面は両側に形成される肩部（１０２）に行くにつれて肉薄となると共に、該両側の肩部（１０２）は異なる肉厚に形成されている。また、前記睫パーマ用ロット（１）における第一弧面（１３）の面積は、第二弧面（１５）より大きいと共に、第一弧面（１３）の曲率は、第二弧面（１５）と異なる。因みに図中では、第一弧面（１３）の曲率は小さく、第二弧面（１５）の曲率は大きい。更に、第一弧面（１３）と第二弧面との間に帯状のカット面（１４）が形成され、第一弧面（１３）、カット面（１４）及び第二弧面（１５）上に凸部（１３１）が並設される。
【００１３】
また、本考案を使用する時は、図４及び図５に示すように、先ず睫パーマ用ロット（１）の表面に粘着剤を塗布してから、該睫パーマ用ロット（１）を目蓋に貼り付けるが、この時、棒状のロット（１０）が湾曲可能であり、且つロット（１０）の底面（１１）も平坦状であるので、目蓋の形状に合せてしっかりと貼り付けることができる。故に、使用者の好みに合わせて睫にパーマを掛けるためには、先ず使用者が好みの曲率である第一弧面（１３）或いは第二弧面（１５）を選択し、その後、鼻に片側の肉薄の肩部（１０２）を近づけるように、第一弧面（１３）に、或いは第二弧面（１５）に睫を貼り付ければ、使用者の目蓋の形状、睫の長さが異なる場合でも、確実に睫全体にパーマを掛けることができる。
【００１４】
上述したように、本考案の睫パーマ用ロットは、ロットの表面に前側から後側に向って順に第一弧面、カット面及び第二弧面が設けられると共に、底面に平坦面が形成され、また、ロットの長手方向の中間における中間部は他の部分より肉厚であると共に、その上面は両側に形成される肩部に行くにつれて肉薄となり、該両側の肩部は、厚さが異なるので、鼻に片側の肉薄の肩部を近づけるように、ロットの底端における平坦状の底面を目蓋に貼り付ければ、簡単に睫に対してパーマを掛けることができる。また、使用者の好みによって、第一弧面或いは第二弧面を選択すれば、睫に対して曲率の異なるパーマを掛けることができる。
【００１５】
以上、実施例に基づき本考案を説明したが、上記実施例は、本考案の趣旨を逸脱しない範囲内で種々の改良変形が可能であり、本考案の技術的範囲には、これらの改良変形も含まれる。
【図面の簡単な説明】
【００１６】
【図１】本考案に係る睫パーマ用ロットの斜視図である。
【図２】本考案に係る睫パーマ用ロットの正面図である。
【図３】本考案に係る睫パーマ用ロットの側面図である。
【図４】本考案に係る睫パーマ用ロットの第一実施例である。
【図５】本考案に係る睫パーマ用ロットの第二実施例である。
【符号の説明】
【００１７】
１        睫パーマ用ロット
１０      ロット
１０１    中間部
１０２    肩部
１１      底面
１２      平面部
１３      第一弧面
１３１    凸部
１４      カット面
１５      第二弧面
１６      平面部
【図１】
0003108940.tif 000003
【図２】
0003108940.tif 000004
【図３】
0003108940.tif 000005
【図４】
0003108940.tif 000006
【図５】
0003108940.tif 000007